(57)【要約】【課題】電気部品を着脱可能に保持する電気部品用ソケットにおいて、ラッチ部材を閉じると共に下動する開閉機構の部品点数を減らしてその省スペース化を図ると共に、小さな力でソケットカバーを操作する。【解決手段】ＩＣパッケージ４を載置する載置部５が設けられたソケット本体１と、このソケット本体１に対して上向きに付勢された状態で上下動可能に配設されたソケットカバー２と、このソケットカバー２の上下動に連動して開閉可能に配設され閉じた状態で載置部５に載置されたＩＣパッケージ４を保持するラッチ部材３と、を備えて成る電気部品用ソケットにおいて、ソケットカバー２が下降位置に押し込まれた状態でラッチ部材３を開き、このソケットカバー２が上昇位置に復帰するに従ってラッチ部材３が閉じると共に下動するようにしたラッチ部材の開閉押圧機構１１を備えたものである。【選択図】  図１
2004327264.tif 000002
【特許請求の範囲】
【請求項１】
電気部品を載置する載置部が設けられたソケット本体と、
このソケット本体に対して上下動可能に配設されたソケットカバーと、
このソケットカバーの上下動に連動して開閉可能に配設され閉じた状態で上記載置部に載置された電気部品を保持するラッチ部材と、を備えて成る電気部品用ソケットにおいて、
上記ソケットカバーが下降位置に押し込まれた状態で上記ラッチ部材を開き、該ソケットカバーが上昇位置に復帰するに従ってラッチ部材が閉じると共に下動するようにしたラッチ部材の開閉押圧機構を備えたことを特徴とする電気部品用ソケット。
【請求項２】
上記ラッチ部材の開閉押圧機構は、ソケット本体に対してラッチ部材を上下動可能に支持する配設部と、ソケットカバーが下降位置から上昇位置に復帰するときに上記ラッチ部材を作動させるレバー部材とを備えて成ることを特徴とする請求項１記載の電気部品用ソケット。
【請求項３】
上記ラッチ部材を支持する配設部の下面側には、該配設部を上向きに付勢する付勢部材を備えたことを特徴とする請求項２記載の電気部品用ソケット。
【請求項４】
上記レバー部材は、ラッチ部材よりもソケット本体の外側に配設されたことを特徴とする請求項２記載の電気部品用ソケット。
【請求項５】
上記レバー部材がソケットカバーから作用を受ける力点は、該ソケットカバーが上昇位置に復帰するに従ってレバー部材の支点部から離れることを特徴とする請求項２〜４の何れか１項に記載の電気部品用ソケット。
【請求項６】
上記ラッチ部材及びその開閉押圧機構は、ソケット本体に設けられた載置部の周りの全ての辺に配設されたことを特徴とする請求項１〜５の何れか１項に記載の電気部品用ソケット。
【発明の詳細な説明】
【０００１】
【発明の属する技術分野】
本発明は、ソケットカバーの上下動に連動して開閉可能とされたラッチ部材を閉じることでソケット本体の載置部に載置された電気部品を保持する電気部品用ソケットに関し、詳しくは、ラッチ部材を閉じると共に押し下げる開閉機構の部品点数を減らしてその省スペース化を図ると共に、小さな力でソケットカバーを操作することができる電気部品用ソケットに関するものである。
【０００２】
【従来の技術】
ＩＣパッケージなどの電気部品をソケット本体に設けられた載置部に着脱可能に保持して外部の測定器に電気的に接続させる電気部品用ソケットのうち、いわゆるオープントップタイプのものは、電気部品を載置する載置部が設けられたソケット本体と、このソケット本体に対して上向きに付勢された状態で上下動可能に配設されたソケットカバーと、このソケットカバーの上下動に連動して開閉可能に配設され閉じた状態で載置部に載置された電気部品を保持するラッチ部材とを備えて成り、ソケットカバーが下降位置に押し込まれた状態でラッチ部材が開き、このソケットカバーが上向きに押し上げられるに従ってラッチ部材が閉じるようになっていた（例えば、特許文献１参照。）。
【０００３】
このような電気部品用ソケットを使用して電気部品を保持するときには、まずソケット本体に対して上向きに付勢された状態で配設されたソケットカバーを下降位置まで押し込んでラッチ部材を開き、ソケット本体の載置部に電気部品を載置する。次に、ソケットカバーを押し込む力を解除していくと、ソケットカバーが上向きに押し上げられ、その動きに連動してラッチ部材が内側方向に閉じる。
これにより、載置部に載置された電気部品は、ラッチ部材で保持されて固定されるようになり、電気部品の下面に配列された各接続端子が載置部の上面に配設された各コンタクトピンと電気的に接続するようになっていた。
【０００４】
【特許文献１】
特開平１１−２９７４４３号公報  （第６〜８頁、第５〜１０図）
【０００５】
【発明が解決しようとする課題】
しかし、特許文献１に記載された発明は、ソケットカバーの上下動に連動してラッチ部材を開閉させるために複雑なリンク機構が用いられていたので、そのリンク機構の部品点数が多いという問題点があった。また、ソケット本体にリンク機構を配設するためのスペースを必要としたため、ラッチ部材を配設できる位置が制限されていた。すなわち、従来の電気部品用ソケットにおいては、載置部の周りの対向する二辺にのみラッチ部が配設されており、載置部の全ての辺にラッチ部材を配設することができなかった。
【０００６】
また、近年の電気部品（ＩＣパッケージ）の高集積化により、電気部品の下面に配列される接続端子の数が増加する傾向にある。そのため、このような電気部品を着脱可能に保持する電気部品用ソケットは、コンタクトピンの本数が増加することとなり、その結果、ソケットカバーを操作することでコンタクトピンが弾性変形して生じる反発力が大きくなる傾向にある。したがって、このような電気部品用ソケットを使用して電気部品を保持するためには、多数本のコンタクトピンによって生じる反発力よりも大きな力でソケットカバーを操作しなければならず、ソケットカバーを上向きに付勢するためのカバーばねとして、弾性定数の大きな大型のコイルスプリングを用いなければならなかった。この場合には、ソケットカバーを押し込むときに大きな力が必要になるという問題点があった。
【０００７】
そこで、本発明は、このような問題点に対処し、ラッチ部材を閉じると共に押し下げる開閉機構の部品点数を減らしてその省スペース化を図ると共に、小さな力でソケットカバーを操作することができる電気部品用ソケットを提供することを目的とする。
【０００８】
【課題を解決するための手段】
上記目的を達成するために、本発明による電気部品用ソケットは、電気部品を載置する載置部が設けられたソケット本体と、このソケット本体に対して上下動可能に配設されたソケットカバーと、このソケットカバーの上下動に連動して開閉可能に配設され閉じた状態で上記載置部に載置された電気部品を保持するラッチ部材と、を備えて成る電気部品用ソケットにおいて、上記ソケットカバーが下降位置に押し込まれた状態で上記ラッチ部材を開き、該ソケットカバーが上昇位置に復帰するに従ってラッチ部材が閉じると共に下動するようにしたラッチ部材の開閉押圧機構を備えたものである。
【０００９】
このような構成により、電気部品用ソケットにラッチ部材の開閉押圧機構を備えたことで、ソケット本体に配設されたソケットカバーが下降位置に押し込まれた状態でラッチ部材を開き、このソケットカバーが上昇位置に復帰するに従ってラッチ部材が閉じると共に下動するようにさせることができる。これにより、複雑なリンク機構を用いなくても、ソケット本体の載置部に載置された電気部品をラッチ部材で押圧して保持することができ、ラッチ部材を閉じると共に押し下げる開閉機構の部品点数を減らしてその省スペース化を図ることができる。
【００１０】
ここで、上記ラッチ部材の開閉押圧機構は、ソケット本体に対してラッチ部材を上下動可能に支持する配設部と、ソケットカバーが下降位置から上昇位置に復帰するときに上記ラッチ部材を作動させるレバー部材とを備えて成るものである。これにより、上記ラッチ部材を上下動可能に支持する配設部によって、上記ソケット本体に対してラッチ部材を上下動することができ、上記レバー部材で上記ソケットカバーが下降位置から上昇位置に復帰するときに上記ラッチ部材を作動させることができる。したがって、ラッチ部材の開閉押圧機構の部品点数を減らしてその省スペース化を図ることができる。
【００１１】
また、上記ラッチ部材を支持する配設部の下面側には、該配設部を上向きに付勢する付勢部材を備えている。これにより、上記付勢部材によって、上記ラッチ部材を支持する配設部を上向きに付勢した状態で上下動することができる。
【００１２】
また、上記レバー部材は、ラッチ部材よりもソケット本体の外側に配設されている。これにより、上記ラッチ部材の開閉押圧機構をソケット本体の周縁部に備えることができる。
【００１３】
さらに、上記レバー部材がソケットカバーから作用を受ける力点は、該ソケットカバーが上昇位置に復帰するに従ってレバー部材の支点部から離れるようになっている。これにより、上記レバー部材によって、上記ラッチ部材に大きな力のモーメントを作用させることができる。
【００１４】
そして、上記ラッチ部材及びその開閉押圧機構は、ソケット本体に設けられた載置部の周りの全ての辺に配設されている。これにより、ソケット本体の載置部に載置された電気部品の周縁部をラッチ部材で確実に押圧して保持することができる。
【００１５】
【発明の実施の形態】
以下、本発明の実施の形態を添付図面に基づいて詳細に説明する。
図１は本発明による電気部品用ソケット１の実施の形態を示す斜視図であり、ソケット本体１ａに対して上下動可能に配設されたソケットカバー２が下降位置まで押し込まれてラッチ部材３が開いた状態を示す。また、図２は図１に示す電気部品用ソケット１のソケットカバー２が上昇位置に押し上げられてラッチ部材３が閉じた状態を示す斜視図である。この電気部品用ソケット１は、図１に示すＩＣパッケージ４などの電気部品の性能検査を行う工程において、ＩＣパッケージ４を着脱可能に保持して外部の測定器（図示省略）に電気的に接続するための治具であって、いわゆるオープントップタイプと呼ばれており、ソケット本体１ａと、ソケットカバー２と、ラッチ部材３とを有し、さらにラッチ部材３の開閉押圧機構を備えて成る。
【００１６】
図１に示すように、ソケット本体１ａは、電気部品用ソケット１のベース部材となるものであって、強度が高く、かつ耐熱性に優れた樹脂でできており、ＩＣパッケージ４の形状に合わせて例えば略正方形の平板状に成型されている。このソケット本体１ａの平面中央部には、図３に示すように、載置部５が設けられている。この載置部５は、ＩＣパッケージ４などの電気部品が載置される部位となるものであって、その周縁の四隅部には平面視で例えばＬ字型の案内部６が立設されている。この案内部６は、ＩＣパッケージ４の外側面を規制してその位置決めをする部材となるものであって、図１に示すように、矢印Ｂの方向に落とし込まれたＩＣパッケージ４を載置部５の所定位置に誘い込んで載置するようになっている。なお、図１〜図３において図示省略したが、載置部５の上面には複数本のコンタクトピンが格子状に配設されている。このコンタクトピンの形状や動き等については、図７及び図８を参照して後に説明する。
【００１７】
このソケット本体１ａの上方には、図１及び図２に示すように、ソケット本体１ａの外形寸法と略同じ大きさのソケットカバー２が配設されている。このソケットカバー２は、後述するラッチ部材３を開閉させる操作部材となるものであって、中央部に開口部が空けられた枠形状を有し、ソケット本体１ａに対して上向きに付勢された状態で上下動可能とされている。具体的には、図２に示すように、ソケット本体１ａの四隅部にはそれぞれカバーばね７が配設されており、このカバーばね７によってソケットカバー２が上向きに付勢されている。また、これらのカバーばね７よりもソケット本体１ａの内側の所定位置には、図３に示すように、止め部材８が配設されている。この止め部材８は、ソケットカバー２の上下動を規制する部材となるもので、図２に示すように、その基部がソケット本体１ａに螺合して固定され、その頭部がソケットカバー２の上面内側の所定部位と係合してソケットカバー２を上昇位置で止めるようになっている。
【００１８】
これにより、図１に示すように、ソケットカバー２の上面に対して矢印Ａに示す下向きの力を加えると、ソケットカバー２を下降位置まで押し込むことができる。また、ソケットカバー２に加えられた力を解除すると、図２に示すように、カバーばね７によってソケットカバー２が上向きに付勢されて戻され、ソケットカバー２の上面内側の所定部位と、各止め部材８の頭部とが係合してソケットカバー２を上昇位置まで押し上げることができる。なお、このようにソケットカバー２が上昇位置まで押し上げられた状態のときに、各カバーばね７の長さは自然長に戻るようになっている。
【００１９】
また、図１及び図２に示すように、ソケット本体１ａに設けられた載置部５の周りの全ての辺の外側には、それぞれラッチ部材３が配設されている。このラッチ部材３は、ソケットカバー２の上下動に連動して載置部５の内外方向に開閉可能とされており、図１に示すように、外側方向に開いた状態で載置部５の上面にＩＣパッケージ４を載置できるようになっており、図２に示すように、内側方向に閉じた状態で載置部５の上面に載置されるＩＣパッケージ４（図示せず）を保持できるようになっている。
【００２０】
このラッチ部材３は、強度が高く、かつ耐熱性に優れた樹脂でできており、電気部品用ソケット１の使用態様に合わせて任意の形状とすることができる。ここでは、図２に示すように、四つのラッチ部材３が閉じた状態のときに、各ラッチ部材３の内側面によって載置部５の上方に所定の形状の開口部が形成されるようになっている。この四つのラッチ部材３の内側面によって形成される開口部は、例えば上部が円形で下部が四角形とされており、後述する加熱手段１７（図９参照）を嵌め込み可能とされている。
【００２１】
ここで、本発明においては、電気部品用ソケット１にラッチ部材３の開閉押圧機構が備えられている。このラッチ部材３の開閉押圧機構は、図１に示すように、ソケットカバー２が下降位置に押し込まれた状態で各ラッチ部材３を載置部５の外側方向に開き、図２に示すように、ソケットカバー２が上昇位置に復帰するに従って各ラッチ部材３を載置部５の内側方向に閉じると共に下動するようにしたものであって、図４及び図５に示すように、コイルスプリング１０と、レバー部材１１とを備えて成る。
【００２２】
図４は、図３に示す電気部品用ソケット１のＣ−Ｃ線断面図であり、ラッチ部材３が開いた状態を示す。また、図５は図３に示す電気部品用ソケット１のＤ−Ｄ線断面図であり、ラッチ部材３が閉じた状態を示す。図４及び図５に示すように、載置部５の外側に配設された各ラッチ部材３は、それぞれラッチシャフト１２によって軸支されており、このラッチシャフト１２を中心として回動するようになっている。これにより、図４に示すように、外側方向に開いた状態とされたラッチ部材３はラッチシャフト１２を回転軸として矢印Ｆの方向に回動することができ、図５に示すように、各ラッチ部材３を内側方向に閉じることができる。
【００２３】
また、図４に示すように、各ラッチシャフト１２の下面側には、コイルスプリング１０が配設されている。このコイルスプリング１０は、ソケット本体１ａに対してラッチ部材３を上下動可能に支持する配設部となるもので、各ラッチシャフト１２を上向きに付勢した状態でソケット本体１ａに取り付けられている。さらに、図５に示すように、ラッチ部材３を軸支する各ラッチシャフト１２には、ラッチ部材３を外側方向に付勢するねじりばね１３が取り付けられている。これにより、図４に示すように、コイルスプリング１０によって上向きに付勢された状態のラッチ部材３は、ねじりばね１３（図５参照）により付勢されて外側方向に開くようになっている。また、図５に示すように、ねじりばね１３の付勢力に抗して閉じた状態のラッチ部材３は、コイルスプリング１０（図４参照）によって上向きに付勢された状態でソケット本体１ａに対して上下動するようになっている。
【００２４】
さらにまた、図４及び図５に示すように、各ラッチ部材３よりもソケット本体１ａの外側には、それぞれレバー部材１１が配設されている。このレバー部材１１は、ソケットカバー２が下降位置から上昇位置に復帰するときにラッチ部材３を作動させる部材となるものであって、例えば剛性の高い金属材料でできており、図３に示すように、平面視で例えば略コ字型に形成されており、その断面形状は図４〜図６に示すようになっている。
【００２５】
図６は、図３に示す電気部品用ソケット１のＥ−Ｅ線断面図であり、ソケットカバー２が上昇位置に復帰する力を作用させてラッチ部材３を押し下げるレバー部材１１を示す。ラッチ部材３を上下動可能に軸支するラッチシャフト１２の外側にはレバーシャフト１４がソケット本体１ａに取り付けられ、このレバーシャフト１４にレバー部材１１が軸支されている。これにより、レバー部材１１は、レバーシャフト１４を中心として回動するようになっている。また、レバー部材１１の背面側には被押圧部１１ａが設けられており、この被押圧部１１ａがソケットカバー２の内側上部に設けられた押圧部２ａと接触して力を受けるようになっている。さらに、レバー部材１１の下部にてレバーシャフト１４より内側には長孔１１ｂが形成されており、この長孔１１ｂにラッチ部材３を軸支するラッチシャフト１２が貫通されている。これにより、このレバー部材１１は、ソケットカバー２がカバーばね７（図２参照）によって矢印Ｇの方向に付勢されて上向きに押し上げられるに従って、ソケットカバー２の押圧部２ａからレバーシャフト１４を中心にした矢印Ｈの方向の力を受け、以下に説明するようにラッチ部材３を下方向に押し下げることができる。
【００２６】
すなわち、上向きに付勢されたソケットカバー２が上昇位置に復帰するに従って、ソケットカバー２の押圧部２ａと接触している部位が作用を受けて力点Ｐ１となり、この力点Ｐ１がレバー部材１１の背面側の被押圧部１１ａを擦り上がっていくため、レバー部材１１がレバーシャフト１４を回転軸として矢印Ｈに示す方向に回動し、長孔１１ｂに貫通されたラッチシャフト１２を下方向に押し下げるようになる。したがって、ソケットカバー２が上昇位置に復帰する力がレバー部材１１からラッチシャフト１２に作用し、ラッチ部材３を下方向に押し下げることができる。
【００２７】
以上のような構成により、ラッチ部材３の開閉押圧機構を簡素化することができ、その部品点数を減少することができる。また、ラッチ部材３の開閉押圧機構の省スペース化を図ることができる。さらに、レバー部材１１がラッチ部材３よりもソケット本体１ａの外側に配設されたことにより、ラッチ部材３の開閉押圧機構をソケット本体１ａの周縁部に備えることができる。したがって、従来の電気部品用ソケットとは異なり、複雑なリンク機構を用いなくてもよいので、レバー部材１１を配設するスペースを小さくすることができる。そのため、ラッチ部材３を配設する位置が制限されることなく、図１〜図３に示すように、載置部５の全ての辺にラッチ部材３を配設することができる。
【００２８】
ここで、図２に示すカバーばね７によって上向きに付勢されたソケットカバー２が、上昇位置に復帰する力の大きさについて説明する。図２に示すように、ソケットカバー２が上昇位置まで押し上げられ、各カバーばね７が自然長に戻された状態におけるソケットカバー２の位置を原点とし、カバーばね７が伸びる上方向をｘ軸にとる。また、カバーばね７の弾性定数をｋとする。
【００２９】
このとき、図１に示すように、ソケットカバー２に矢印Ａに示す下向きの力を加えてソケットカバー２を下降位置まで押し込んだときに、各カバーばね７が元の形状に戻ろうとする復元力Ｆ０は、一般に、以下の（１）式で与えられる。
Ｆ０＝−ｋｘ  …（１）
この（１）式より、カバーばね７は、ソケットカバー２が下降位置に押し込まれた状態で原点から最も離れるので復元力Ｆ０が最大となる。また、ソケットカバー２に加えられた力を解除してソケットカバー２が下降位置から上昇位置に押し上げられるに従って、ソケットカバー２が原点に近付いてその復元力Ｆ０が徐々に小さくなっていく。したがって、カバーばね７によってソケットカバー２が上向きに付勢される力Ｆ０は、ソケットカバー２が下降位置のときに最大で、上昇位置に近付くほど小さくなっていくことになる。
【００３０】
これに対し、図６に示すように、レバー部材１１がソケットカバー２の押圧部２ａから作動力を受ける力点Ｐ１は、ソケットカバー２が上昇位置に押し上げられるに従って、レバー部材１１の支点となるレバーシャフト１４から徐々に離れるようになっている。これにより、レバー部材１１がソケットカバー２から作動力を受ける力点Ｐ１の位置がレバー部材１１の支点部から徐々に離れて梃子比が大きくなり、作用点となるラッチシャフト１２に対して大きなモーメントを作用できるようになる。したがって、レバー部材１１の梃子比とカバーばね７（図２参照）の復元力Ｆ０とが反比例の関係になり、ソケットカバー２が下降位置に押し込まれてレバー部材１１の梃子比が小さい状態ではカバーばね７の復元力Ｆ０は大きく、逆にソケットカバー２が押し上げられてカバーばね７の復元力Ｆ０が小さいときにはレバー部材１１の梃子比が大きくなる。このことから、レバー部材１１は、ラッチシャフト１２に対して常に大きな作動力を与えてラッチ部材３を下方に押し下げることができる。
【００３１】
図７は、図４に示す電気部品用ソケット１の要部拡大断面図であり、載置部５にはＩＣパッケージ４が載置されていないときで、載置部５に配設されたコンタクトピン１５に負荷がかかっていない状態を示す。また、図８は、図５に示す電気部品用ソケット１の要部拡大断面図であり、載置部５にＩＣパッケージ４が載置されてコンタクトピン１５が押し込まれてＩＣパッケージ４と電気的に接続された状態を示す。このコンタクトピン１５は、ＩＣパッケージ４の下面に配列された接続端子（図示省略）と、外部の測定装置（図示省略）との電気的接続を図るものであって、導電性に優れた板材をプレス加工してばね性を有する形状に形成されている。
【００３２】
具体的には、図７（ａ）に示すように、直線状とされた下半分がソケット本体１ａに挿通して固定されており、図７（ｂ）に示すように、円弧状とされた上半分の上端部が載置部５を構成するフローティングプレート１６に形成されたピン用孔１６ａに嵌め込まれている。これにより、図７（ａ）に示すように、ラッチ部材３が載置部５の外側方向に開いてフローティングプレート１６が図中上方向に上昇した状態では、各コンタクトピン１５には負荷はかかっていない。そして、図８（ａ）に示すように、載置部５の上面にＩＣパッケージ４を載置してからラッチ部材３を閉じて、ラッチ部材３がＩＣパッケージ４の縁部上面を押し下げてフローティングプレート１６が沈み込んだ状態では、図８（ｂ）に示すように、各コンタクトピン１５の先端部がＩＣパッケージ４の接続端子と電気的に接続できるようになっている。
【００３３】
ここで、ソケット本体１ａに多数本のコンタクトピン１５が配設されており、その弾性変形によって生じる反発力が大きくなった場合であっても、電気部品用ソケット１に上述したラッチ部材３の開閉押圧機構を備えたことにより、図６に示すレバー部材１１は常に大きな作動力でラッチ部材３を下方に押し下げることができるため、ソケットカバー２を上向きに付勢するカバーばね７として、弾性定数の大きなものを用いなくてもよい。したがって、小さな力でソケットカバー２を押し込んでラッチ部材３を開くことができ、このソケットカバー２を下方向に押し込む力を解除してソケット本体１ａの載置部５に載置されたＩＣパッケージ４を押圧して固定することができる。なお、図７及び図６において図示省略したが、各コンタクトピン１５の下端部には、ＩＣパッケージ４の性能検査を行う測定装置が接続される。
【００３４】
次に、このように構成された電気部品用ソケット１を使用してＩＣパッケージ４を保持しその性能検査を行う動作について説明する。まず、図１に示すように、ソケットカバー２の上面に対して矢印Ａに示す下向きの力を加えてソケットカバー２を下降位置まで押し込み、ラッチ部材３を開く。このとき、図４に示すように、ソケットカバー２の内側に設けられた突起部２ｂがラッチ部材３の背面下部に設けられた立設片３ｂを押さえ、ラッチ部材３の開状態を保持するようになっている。次に、図１に示すように、ＩＣパッケージ４を矢印Ｂの方向に落とし込み、載置部５の上面に載置する。このとき、載置部５の周縁の四隅部に立設された案内部６によってＩＣパッケージ４の外側面が規制され、ＩＣパッケージ４が載置部５の所定位置に誘い込まれて位置決めされる。
【００３５】
次に、図２に示すように、ソケットカバー２を押し込む力を解除してソケットカバー２を上昇位置に戻すと、上述したラッチ部材３の開閉押圧機構によって、ソケットカバー２が上昇位置に復帰するに従ってラッチ部材３を閉じると共に下方向に押し下げることができる。これにより、載置部５に載置されたＩＣパッケージ４（図示せず）の周縁部を各ラッチ部材３で押圧し、ＩＣパッケージ４を固定して動かないようにすることができる。このとき、図８に示すように、ＩＣパッケージ４の下面に配列された各接続端子（図示省略）と、載置部５に配設された各コンタクトピン１５とは電気的に接続され、ＩＣパッケージ４を外部の測定器（図示省略）に電気的に接続することができる。
【００３６】
そして、図９に示すように、閉じた状態のラッチ部材３の内側面によって形成された開口部に、加熱手段１７を嵌め込む。この加熱手段１７は、電気部品用ソケット１の載置部５に載置されたＩＣパッケージ４に対してバーン・イン・テストを行うためにＩＣパッケージ４を加熱する手段となるものであって、図示省略したが、その内部には高温の気体又は液体が通る配管が設けられている。また、加熱手段１７の底面の形状は、閉じた状態のラッチ部材３によって形成された開口部と適合するようになっている。これにより、載置部５に載置されたＩＣパッケージ４の上面に加熱手段１７を接触させて、ＩＣパッケージ４を加熱状態とすることができる。なお、例えば図５に示すように、ラッチ部材３の中央部には通気孔３ａが形成されており、加熱手段１７から発生する熱、及びＩＣパッケージ４の性能検査を行う工程においてＩＣパッケージ４から発生する熱を外部に逃がすようになっている。
【００３７】
図１０は、本発明による電気部品用ソケット１の他の例を示す斜視図である。
この例による電気部品用ソケット１は、ソケットカバー２の上下動に連動して開閉可能とされたラッチ部材３及びアーム部材１８が配設されており、図１０中における左右のアーム部材１８にはヒートシンク１９が取り付けられている。このヒートシンク１９は、図１１に示すように、アーム部材１８が閉じた状態のときに載置部５に載置されたＩＣパッケージ４に当接し、ＩＣパッケージ４から発生する熱を外気に放散する放熱体となるものであって、複数個の放熱フィン２０，２０，…が設けられている。このヒートシンク１９は、例えばアルミニウムの削り出し、又はアルミダイキャストなどの製法によって成型され、全体としての軽量化が図られている。なお、図１０中におけるラッチ部材３は、図１〜図９に示して説明したものと同様のもので、図１１に示すように、ソケットカバー２が上昇位置に復帰するに従って閉じると共に下動するようになっている。
【００３８】
以上の説明において、ラッチ部材３及びその開閉押圧機構は、ソケット本体１ａに設けられた載置部５の周りの四辺に備えられたものとして説明したが、本発明はこれに限られず、電気部品用ソケットの載置部５に合わせて任意の位置に配設することができる。例えば、八角形の形状を有する電気部品に適合するように八角形の載置部が設けられた場合においては、その載置部の八辺の外側にラッチ部材３及びその開閉押圧機構を備えることができる。これにより、電気部品用ソケットの設計の自由度が向上し、載置部に載置された電気部品の周縁部をラッチ部材で確実に押圧して保持することができる。
【００３９】
【発明の効果】
本発明は以上のように構成されたので、請求項１に係る発明によれば、ソケットカバーの上下動に連動して開閉可能とされたラッチ部材を閉じることでソケット本体の載置部に載置された電気部品を保持する電気部品用ソケットにおいて、ラッチ部材の開閉押圧機構を備えたことにより、ソケットカバーが下降位置に押し込まれた状態でラッチ部材を開き、このソケットカバーが上昇位置に復帰するに従ってラッチ部材が閉じると共に下動するようにさせることができる。これにより、複雑なリンク機構を用いなくても、ソケット本体の載置部に載置された電気部品をラッチ部材で押圧して保持することができ、ラッチ部材を閉じると共に押し下げる開閉機構の部品点数を減らしてその省スペース化を図ることができる。
【００４０】
ここで、請求項２に係る発明によれば、上記ラッチ部材の開閉押圧機構は、ソケット本体に対してラッチ部材を上下動可能に支持する配設部と、ソケットカバーが下降位置から上昇位置に復帰するときに上記ラッチ部材を作動させるレバー部材とを備えて成ることにより、ラッチ部材を上下動可能に支持する配設部によって、ソケット本体に対してラッチ部材を上下動することができ、レバー部材でソケットカバーが下降位置から上昇位置に復帰するときに上記ラッチ部材を作動させることができる。したがって、ラッチ部材の開閉押圧機構の部品点数を減らしてその省スペース化を図ることができる。
【００４１】
また、請求項３に係る発明によれば、上記ラッチ部材を支持する配設部の下面側に、該配設部を上向きに付勢する付勢部材を備えたことにより、ラッチ部材を上向きに付勢した状態で上下動することができる。
【００４２】
また、請求項４に係る発明によれば、上記レバー部材は、ラッチ部材よりもソケット本体の外側に配設されたことにより、ラッチ部材の開閉押圧機構をソケット本体の周縁部に備えることができる。したがって、レバー部材を配設するスペースを小さくすることができるため、ラッチ部材を配設する位置が制限されず、載置部の周りの全ての辺にラッチ部材を配設することができる。
【００４３】
さらに、請求項５に係る発明によれば、上記レバー部材がソケットカバーから作用を受ける力点は、該ソケットカバーが上昇位置に復帰するに従ってレバー部材の支点部から離れるようになっていることにより、ラッチ部材に大きな力のモーメントを作用させることができる。これにより、レバー部材によって、ラッチ部材に対して常に大きな作動力を与えて下方に押し下げることができ、多数本のコンタクトピンが配設されて反発力の大きな電気部品用ソケットであっても、弾性定数の小さいコイルスプリングを用いることができる。したがって、小さな力でソケットカバーを操作することができる。
【００４４】
そして、請求項６に係る発明によれば、上記ラッチ部材及びその開閉押圧機構は、ソケット本体に設けられた載置部の周りの全ての辺に配設されたことにより、ソケット本体の載置部に載置された電気部品の周縁部をラッチ部材で確実に押圧して保持することができる。
【図面の簡単な説明】
【図１】本発明による電気部品用ソケットの実施の形態を示す斜視図であり、ソケット本体に対して上下動可能に配設されたソケットカバーが下降位置まで押し込まれてラッチ部材が開いた状態を示す。
【図２】図１に示す電気部品用ソケットのソケットカバーが上昇位置に押し上げられてラッチ部材が閉じた状態を示す斜視図である。
【図３】電気部品用ソケットのラッチ部材が開閉した状態を示す平面図であり、上半分はラッチ部材が開いた状態を示し、下半分はラッチ部材が閉じた状態を示す。
【図４】図３に示す電気部品用ソケットのＣ−Ｃ線断面図であり、ラッチ部材が開いた状態を示す。
【図５】図３に示す電気部品用ソケットのＤ−Ｄ線断面図であり、ラッチ部材が閉じた状態を示す。
【図６】図３に示す電気部品用ソケットのＥ−Ｅ線断面図であり、ソケットカバーが押し上げられる力を作用させてラッチ部材を押し下げるレバー部材を示す。
【図７】図４に示す電気部品用ソケットの要部拡大断面図であり、載置部に配設されたコンタクトピンが無負荷の状態を示す。
【図８】図５に示す電気部品用ソケットの要部拡大断面図であり、載置部に電気部品が載置されてコンタクトピンが押し込まれた状態を示す。
【図９】図１に示す電気部品用ソケットの使用状態を示す斜視図である。
【図１０】電気部品用ソケットの他の例を示す斜視図であり、ヒートシンクが取り付けられたラッチ部材が開いた状態を示す。
【図１１】図１０に示す電気部品用ソケットのラッチ部材を閉じた状態を示す斜視図である。
【符号の説明】
１…電気部品用ソケット
１ａ…ソケット本体
２…ソケットカバー
２ａ…押圧部
３…ラッチ部材
４…ＩＣパッケージ
５…載置部
６…案内部
７…カバーばね
８…止め部材
１０…コイルスプリング
１１…レバー部材
１２…ラッチシャフト
１３…ねじりばね
１４…レバーシャフト
１５…コンタクトピン
１６…フローティングプレート
１７…加熱手段
１８…アーム部材
１９…ヒートシンク
２０…放熱フィン
【図１】
2004327264.tif 000003
【図２】
2004327264.tif 000004
【図３】
2004327264.tif 000005
【図４】
2004327264.tif 000006
【図５】
2004327264.tif 000007
【図６】
2004327264.tif 000008
【図７】
2004327264.tif 000009
【図８】
2004327264.tif 000010
【図９】
2004327264.tif 000011
【図１０】
2004327264.tif 000012
【図１１】
2004327264.tif 000013